(57)【要約】【課題】建物内に配設された厨房機器、衛生機器などからの排水枝管に接続される床貫通排水管の下端部を、床板を貫通させ、この床貫通排水管の先端と床下に設置した排水ヘッダーの排水主管との間を、双方の取付位置がずれていても可撓性を有する配管接続部材を用いて簡易に接続することができるようにした床下排水システムにおける配管接続構造を提供すること。【解決手段】排水ヘッダーＨへ排水するようにした床下排水システムにおいて、床板を貫通して配設する床貫通排水管３の下端と、床下に配設された排水ヘッダーＨ或いは排水ヘッダーＨに連なる排水主管１との間を可撓性を有する配管接続部材Ａを介して接続するとともに、該可撓性を有する配管接続部材Ａを床貫通排水管３に対し、回転可能に取り付ける。【選択図】図１
2005076337.tif 000002
【特許請求の範囲】
【請求項１】
排水ヘッダーへ排水するようにした床下排水システムにおける配管接続構造において、床板を貫通して配設する床貫通排水管の下端と、床下に配設された排水ヘッダー或いは排水ヘッダーに連なる排水主管との間を可撓性を有する配管接続部材を介して接続するとともに、該可撓性を有する配管接続部材を床貫通排水管に対し、回転可能に取り付けるようにしたことを特徴とする床下排水システムにおける配管接続構造。
【請求項２】
配管接続部材を、所要の長さに切断可能とした可撓性を有する排水管と、該可撓性を有する排水管の両端に取り付けた接続具とより構成したことを特徴とする請求項１記載の床下排水システムにおける配管接続構造。
【請求項３】
床貫通排水管と接続する接続具を、床貫通排水管に対し３６０度回転可能に構成したことを特徴とする請求項１又は２記載の床下排水システムにおける配管接続構造。
【発明の詳細な説明】
【技術分野】
【０００１】
本発明は、床下排水システムにおける配管接続構造に関し、特に、建物内に配設された厨房機器、衛生機器などからの排水枝管を、床板を貫通するようにして取り付けた床貫通排水管に接続し、この床貫通排水管の先端と、床下に設置した排水ヘッダーの排水主管或いは該排水ヘッダーに連なる排水主管との間を、双方の取付位置がずれていても簡易に接続することができるようにした床下排水システムにおける配管接続構造に関するものである。
【背景技術】
【０００２】
従来、宅地内で布基礎の外部位置に設置される排水桝は、この宅地内に建てられる建物内に配設された各排水設備、例えば、風呂、厨房、トイレ、洗面所、洗濯場等から延出する排水管毎にそれぞれ設置するようにしている。このため、宅地が狭く、宅地内における排水桝を設置するための配管場所が十分にない場合には、排水桝の設置が困難となる。そこで、床下に排水管を敷設する床下排水システムが提案されている。このシステムは、床下の所定位置に配設される排水ヘッダーに接続する排水主管を介して布基礎の外部に配設された排水桝に接続するとともに、この排水ヘッダーに前記各排水設備より延出し、かつ床板を貫通して配管される排水枝管を床下横引配管及び複数のエルボを介して接続するようにしている。
ところが、このような場合、例えば、図６に示すように、所定の部屋に配置される風呂、厨房、トイレ、洗面所、洗濯場等の各排水設備より床板を貫通して配管される排水枝管の設置位置と、排水ヘッダーに接続される排水主管との位置ずれＬが生じることがある。
【０００３】
ところで、上記従来の床下排水システムにおいては、前記各排水設備に接続される排水枝管の床板貫通位置と、排水ヘッダーに接続された排水主管位置とがずれる場合、それぞれその位置ずれＬの寸法に合わせて、特に限定されるものではないが、例えば、図６に示すように、床板Ｆを貫通するようにした剛性のある塩化ビニル管製の排水枝管と、排水主管１或いは排水ヘッダーＨとを、４５度、９０度等の１又は複数のエルボＬ１、Ｌ２、及び床下横引配管Ｐよりなる接続管材を介して接続するようにしているので、この排水枝管と排水主管との接続に、使用する部材数が複数となり、かつ各部材の接続位置を接着剤等にて漏水しないようにして接続する必要があるため、排水配管の接続に手数と時間がかかるという問題があった。
【発明の開示】
【発明が解決しようとする課題】
【０００４】
本発明は、上記従来の床下排水システムの有する問題点に鑑み、建物内に配設された厨房機器、衛生機器などからの排水枝管に接続される床貫通排水管の下端部を、床板を貫通させ、この床貫通排水管の先端と床下に設置した排水ヘッダーの排水主管との間を、双方の取付位置がずれていても簡易に接続することができるようにした床下排水システムにおける配管接続構造を提供することを目的とする。
【課題を解決するための手段】
【０００５】
上記目的を達成するため、本発明の床下排水システムにおける配管接続構造は、排水ヘッダーへ排水するようにした床下排水システムにおいて、床板を貫通して配設する床貫通排水管の下端と、床下に配設された排水ヘッダー或いは排水ヘッダーに連なる排水主管との間を可撓性を有する配管接続部材を介して接続するとともに、該可撓性を有する配管接続部材を床貫通排水管に対し、回転可能に取り付けるようにしたことを特徴とする。
【０００６】
この場合において、配管接続部材を、所要の長さに切断可能とした可撓性を有する排水管と、該可撓性を有する排水管の両端に取り付けた接続具とより構成することができる。
【０００７】
また、床貫通排水管と接続する接続具を、床貫通排水管に対し３６０度回転可能に構成することができる。
【発明の効果】
【０００８】
本発明の床下排水システムにおける配管接続構造によれば、床貫通排水管の下端と、床下に配設された排水ヘッダー或いは該排水ヘッダーに連なる排水主管との間を可撓性を有する配管接続部材を介して回転可能にして接続するようにしているから、互いに接続する両管の取付位置が、どの方向に位置ずれが生じていても配管接続部材を屈曲することでその位置ずれを吸収することができるので、多くの接続部材を用いることなく簡易に接続することができる。
また、床貫通排水管と配管接続部材を、略一直線状にした状態で床板に形成した貫通孔を挿通させることができるため、作業性が良好にでき、また、床板に形成する貫通孔の大きさを小さくできる。
【０００９】
また、配管接続部材を、所要の長さに切断可能とした可撓性を有する排水管と、該可撓性を有する排水管の両端に取り付けた接続具とより構成することにより、互いに接続する床貫通排水管の下端と、排水主管との間に位置ずれが生じ、かつ接続する両管の間隔が設計通りでない場合でも、現場で両管の間隔に合わせて可撓性を有する排水管を切断することで、他の部材を用いることなく簡易に接続することができる。
【００１０】
また、床貫通排水管と接続する接続具を、床貫通排水管に対し３６０度回転可能に構成することにより、互いに接続する両管の取付位置が、どの方向にずれていても配管接続部材を接続具を床貫通排水管の軸心に対して位置ずれ方向に合わせて回転させることで、その位置ずれを吸収することができ、接続が簡易に行うことができる。
【発明を実施するための最良の形態】
【００１１】
以下、本発明の床下排水システムにおける配管接続構造の実施の形態を図面に基づいて説明する。
【実施例１】
【００１２】
図１〜図５に、本発明の床下排水システムにおける配管接続構造を適用した実施例を示す。
本発明の床下排水システムは、建物の平面図形に沿って築造される布基礎Ｂ上に配設する土台Ｄと床下地面ＧＬとの間の空間Ｃ内に、排水ヘッダーＨと該排水ヘッダーＨに接続される排水主管１を配設し、該排水主管１（図示の実施例では排水主管）に、或いは該排水主管１が接続される排水ヘッダーＨに、配管接続部材Ａを介して接続するように構成するもので、これにより排水配管作業が煩雑となるのを防ぎ、かつ床下の狭い空間で、かつ接続する両部材間の距離に応じて、或いはその位置がずれているような場合でも簡易に、確実に接続できるよう、排水配管の作業性を向上させるようにしたものである。
なお、図示省略したが、布基礎の外部に配設した排水桝に、排水ヘッダーＨは接続されている。
【００１３】
この建物の床下空間Ｃ内に排水ヘッダーＨを設置する場合、宅地内に建てられる建物の所定部屋に配置される風呂、厨房、トイレ、洗面所、洗濯場等の各排水設備から延出するようにしてそれぞれ排水枝管２、２を接続し、この各排水枝管２、２の先端を直接床板Ｆを貫通させるか、或いは図示の実施例のように、排水枝管２の先端を床板Ｆに形成した貫通孔Ｆｈを貫通して配設した床貫通排水管３に接続し、この床貫通排水管３と、排水ヘッダーＨ或いは排水ヘッダーＨに接続する排水主管１とを可撓性の配管接続部材Ａを介して接続する。
【００１４】
床貫通排水管３は、図２〜図５に示すように、硬質の塩化ビニル等の合成樹脂にて下端部分を曲げた管とする。これは特に限定されるものではないが、例えば、床貫通排水管３の下端部分が床板Ｆを貫通したとき、床下となる下端部分を所要の角度、特に限定されるものではないが、例えば、１３５度に屈曲するようにした曲がり管形状とし、また床板Ｆの上面に添うようにしてその外周部に取付鍔３１を一体に形成し、下端の曲がり管部３２の内周面にはワンタッチで水密的に嵌合でき、かつ該床貫通排水管３の軸心に対し、３６０度回転可能として可撓性を有する排水管４の接続具５を接続できるように構成する。
このため、下端の曲がり管部３２の内周面に１又は複数の独立したリング形状で、かつ接続具５の先端接合部５１の侵入を許容することができるが、反対方向の引き抜き方向には引き抜きが阻止されるような形状の係合溝３３、３３を形成し、このリング状の係合溝３３、３３に、Ｏリング等のパッキン３４を介して接続具５を嵌合することで簡単に、水密的に接合できるようにする。
【００１５】
配管接続部材Ａは、所要の長さと径とを備えた可撓性を有する排水管４と、この可撓性を有する排水管４の両端部に備えた接続具５、６とより構成する。
この可撓性を有する排水管４は、特に限定されるものではないが、例えば、軟質或いは半硬質の塩化ビニルなどにて容易に湾曲でき、かつ簡易なカッター等にて切断できるようにし、かつその外周面にはリング状の突条４１を、可撓性を有する排水管４の長手方向に定ピッチとなるようにして形成したホース状とし、これにより所定の長さ位置で、カッターなどの切断具を用いて簡単に切断できるようにするとともに、このリング状の突条４１を利用し、これにＯリング等のパッキンを嵌挿して、接続具５或いは接続具６との接続を容易に、確実に行えるようにする。
【００１６】
また、可撓性を有する排水管４の端部に備える接続具５、６において、一方の接続具５は、図２〜図５に示すように、床貫通排水管３と同様に、硬質の塩化ビニル等の合成樹脂を用いて形成し、その一端側を、特に限定されるものではないが、例えば、１３５度に屈曲するようにした曲がり管状の先端接合部５１とし、この先端接合部５１を、前記床貫通排水管３の係合溝３３、３３の嵌合係止できるような形状、例えば、鏃形の係止部５２、５２を形成し、反対側の端部には外周面に突出するようにしたリング状の係止片５３を形成して構成し、そして、このいずれか１つの係止部５２の外周にパッキン３４を嵌合するようにする。
なお、接続具５の先端接合部５１と、反対側端部の係止片５３との形状は等しくするも、必要に応じて先端接合部５１と係止片５３との長さの異なるもの、例えば、寸法の短いものと、長いものなどの複数種を準備することができる。
これにより、床貫通排水管３の下端に接続具５を嵌合して配管接続部材Ａを接続した場合、図２、図３に示すように、床貫通排水管３に対し、接続具５が水密を保持しつつ、３６０度回転可能となり、かつ床貫通排水管３と接続具５とが９０度、その他任意の角度にて接続されるようにする。
【００１７】
また、他方の接続具６は、図３に示すように、可撓性を有する排水管４の接続側端部の外周面に突出するようにしたリング状の係止片６３を形成し、他端側の端部には排水主管１又は排水ヘッダーＨに接続できるような嵌合孔６２を形成して構成する。
なお、この接続具６及び接続具５の外周面には、係止片５３、６３に近設してストッパ５４、６４を突設する。このストッパ５４、６４は、２つ割状の固定具７の雌型係止片７４の外側面に形成したストッパ片７５を係止し、２つ割状の固定具片７Ａ、固定具片７Ｂが１つのリング形を保持し、可撓性を有する排水管４と接続具５、６とが固定できるようにするためのものである。
【００１８】
可撓性を有する排水管４に対し、接続具５又は接続具６を接続する場合、可撓性を有する排水管４と接続具５又は接続具６とが一体となるよう、２つ割状の固定具７を用いる。
この２つ割状の固定具７は、図４、図５に示すように、内周側に係止溝７１を有する半円弧形の固定具片７Ａと、固定具片７Ｂとよりなり、この両固定具片７Ａ、７Ｂは、同じ形状をしているため、一方の固定具片７Ａについて説明する。
固定具片７Ａは、半円弧形をし、内周側に係止溝７１を形成するとともに、一端側には鏃形の雄係止爪７３を、他端側にはこの雄係止爪７３を嵌合係止するための雌型係止片７４をそれぞれ形成し、さらにこの雌型係止片７４のいずれか一方の外側面にはストッパ片７５を形成して構成する。
これにより、同じ形状をした２つの固定具片７Ａと、固定具片７Ｂを用いて一方の雄係止爪７３を他方の雌型係止片７４にそれぞれ嵌合係止することで、２つの固定具片７Ａと、固定具片７Ｂは、１つのリング状の固定具７となり、可撓性を有する排水管４の端部と接続具５又は接続具６とを接続固定できるようにする。
【００１９】
次に、この床下排水システムにおける配管接続構造の作用について説明する。
建物の外部に配設した排水桝（図示省略）に、床下に配設した排水ヘッダーＨより排水管を介して接続配管し、この排水ヘッダーＨ、又は排水主管１に、建物内の風呂、厨房、トイレ、洗面所、洗濯場等の各排水設備から延出するようにしてそれぞれ排水枝管を接続する。
この場合、排水枝管を接続するようにした床貫通排水管３は、床板Ｆを貫通するようにして配設されるが、床貫通排水管３の接続位置と、排水主管１又は排水ヘッダーＨとの接続位置とが、図１（Ａ）に示すように、位置ずれＬが生じる場合、予め、この接続する両管の位置ずれＬを吸収するようにし、かつ両管端部間を最短距離で接続できる長さに可撓性を有する排水管４を切断し、この可撓性を有する排水管４の端部に接続具５と接続具６とを取り付けておくものとする。
【００２０】
この可撓性を有する排水管４に予め接続しておく接続具５は、可撓性を有する排水管４の一端の外周で突条４１、４１間の溝内にＯリング３４を嵌合した状態で、該可撓性を有する排水管４の一端を接続具５の曲がり管状の先端接合部５１内に強く押し込むようにして嵌合するとともに、可撓性を有する排水管４の１つのリング状の突条４１と、接続具５の係止片５３とを同時に抱持するようにして、２つ割状の固定具片７Ａと、固定具片７Ｂとを、図５（Ａ）に示すように、可撓性を有する排水管４と接続具５との接続部外周に嵌めることにより固定する。このとき、双方の固定具片７Ａ、７Ｂの雄係止爪７３と雌型係止片７４とを互いに嵌合することにより、図５（Ｂ）に示すように、両固定具片７Ａ、７Ｂは互いに係止されて一体となり、１つのリング状の固定具７となる。
【００２１】
次に、この固定具７を、可撓性を有する排水管４と接続具５との接続部外周位置にて、その周回方向に回動させて、図５（Ｃ）に示すように、接続具５に突設したストッパ５４をストッパ片７５に係止し、これにより固定具７の回動を阻止し、可撓性を有する排水管４と接続具５との接続を固定する。
【００２２】
また、所要の長さに切断された可撓性を有する排水管４の他端側にも同様にして予め接続具６を接続しておく。この接続具６の接続は、可撓性を有する排水管４の１つのリング状の突条４１と、接続具６の係止片６３とを同時に抱持するようにして、２つ割状の固定具片７Ａと固定具片７Ｂを、雄係止爪７３と雌型係止片７４とを互いに嵌合し、さらに固定具７を可撓性を有する排水管４と接続具６との接続部外周位置にてその周回方向に回動させて、ストッパ６４をストッパ片７５に係止し、固定具７の回動を阻止するようにして固定する。これにより、可撓性を有する排水管４の他端側にも接続具６が接続される。
【００２３】
このように、両端に接続具５、６を取り付けた可撓性を有する排水管４を、図１（Ｂ）に示すように、接続具５を介して床貫通排水管３に接続する。
これは、床貫通排水管３の下端の曲がり管部３２内に、可撓性を有する排水管４の先端に取り付けた接続具５の先端接合部５１を嵌合することにより、床貫通排水管３と可撓性を有する排水管４とは、床貫通排水管３の軸心に対し、可撓性を有する排水管４を３６０度回転可能として、かつ水密的に接続する。
【００２４】
次に、この可撓性を有する排水管４を予め取り付けた床貫通排水管３を、床板Ｆに形成した貫通孔Ｆｈ内に上方より接続具６が先頭になるようにして可撓性を有する排水管４を挿通した後、床板Ｆに取付鍔３１をビス止めすることにより床貫通排水管３を床板Ｆに固定し、先端の接続具６を排水主管１などに接続して排水配管の配管作業を行う。
この場合、図１（Ｂ）及び図３に示すように、床貫通排水管３と排水管４とを、接続具５を介して、略一直線状にした状態で床板Ｆに形成した貫通孔Ｆｈを挿通させることができるため、作業性が良好になる。また、床板Ｆに形成する貫通孔Ｆｈの大きさを小さくでき、ひいては、床貫通排水管３の取付鍔３１の大きさも小さくできることから、意匠性も向上することができる。
【００２５】
なお、床貫通排水管３と排水主管１などとの接続は、先に床板Ｆに床貫通排水管３を取り付けた後、床貫通排水管３の位置と排水主管１との接続位置とにおいて生じている位置ずれＬを吸収するようにして、かつ両管端部間を最短距離で接続できる長さに床貫通排水管３を切断し、この切断された可撓性を有する排水管４の端部に接続具５、６を取り付け、床貫通排水管３には接続具５、固定具７を介して取り付け、接続具６を介して排水主管１などに取り付けるようにすることもできる。
【００２６】
以上、本発明の床下排水システムにおける配管接続構造において、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の床下排水システムにおける配管接続構造は、排水枝管に接続される床貫通排水管の下端部を、床板を貫通させ、この床貫通排水管の先端と床下に設置した排水ヘッダーの排水主管との間を、双方の取付位置がずれていても簡易に接続することができることから、建物内に配設された厨房機器、衛生機器などからの排水枝管に接続される床貫通排水管と床下に設置した排水ヘッダーの排水主管との間を接続するために好適に用いることができる。
【図面の簡単な説明】
【００２８】
【図１】本発明の床下排水システムにおける配管接続構造の一実施例を示し、（Ａ）は平面図、（Ｂ）は接続前の正面図、（Ｃ）は接続後の正面図である。
【図２】配管接続部材を示し、（Ａ）は接続時の正面図、（Ｂ）は側面図、（Ｃ）は平面図、（Ｄ）は接続固定後の説明図、（Ｅ）は接続後の断面図である。
【図３】配管接続部材の説明図である。
【図４】配管接続部材の可撓性を有する排水管の拡大断面図である。
【図５】可撓性を有する排水管の接続説明図である。
【図６】従来の床下排水システムにおける排水管の接続説明図である。
【符号の説明】
【００２９】
Ａ    配管接続部材
Ｆ    床板
Ｆｈ  貫通孔
Ｈ    排水ヘッダー
１    排水主管
２    排水枝管
３    床貫通排水管
４    可撓性を有する排水管
５    接続具
６    接続具
７    固定具
７Ａ  固定具片
７Ｂ  固定具片
【図１】
2005076337.tif 000003
【図２】
2005076337.tif 000004
【図３】
2005076337.tif 000005
【図４】
2005076337.tif 000006
【図５】
2005076337.tif 000007
【図６】
2005076337.tif 000008